(57)【特許請求の範囲】
【請求項１】
ケースと、該ケースに収容され通電により回転するアーマチュア軸をもつモータと、該アーマチュア軸に結合されたウオームギアと、上記ケースに回動自在に支持されていて上記ウオームギアに噛合され、該ウオームギアの回転により回動するセクタギアと、上記ケースに摺動自在に支持されていて該セクタギアの回動によりフューエルフィラーリッドが施錠されるロックオン位置から解錠されるロックオフ位置まで直線的に駆動される出力ロッドと、上記出力ロッドに取り付けられ、該出力ロッドがロックオフ位置に駆動される際に上記ケースに設けた第１のストッパに衝突して圧縮され衝撃力を吸収するメインダンパとを備えたフューエルフィラーリッドオープナー用アクチュエータにおいて、
上記出力ロッドの、上記メインダンパの取付位置とは離間した位置にサブダンパを取り付け、上記出力ロッドがロックオフ位置まで駆動される過程において、上記メインダンパが上記第１のストッパに衝突し始めて圧縮されるもののまだ充分に圧縮されていない状態のときに上記サブダンパは、上記ケースに設けた第２のストッパに衝突して圧縮されて上記衝撃力の一部を吸収するように構成されていることを特徴とするフューエルフィラーリッドオープナー用アクチュエータ。
【請求項２】
上記サブダンパは、断面形状が略Ｘ字状の弾性材からなるリング体で形成されていることを特徴とする請求項１に記載のフューエルフィラーリッドオープナー用アクチュエータ。
【請求項３】
上記メインダンパは、ゴムを素材とした弾性材から成型され、略矩形状をなし、該メインダンパには、一方の側面に突設された上記ケースに設けた第３のストッパに衝突可能な半円柱形状をなす一対の第１の緩衝突部と、他方の側面に突設され上記ケースの上記第１のストッパに衝突可能な半円柱形状をなす一対の第２の緩衝突部とを一体に備えていることを特徴とする請求項１または請求項２のいずれかに記載のフューエルフィラーリッドオープナー用アクチュエータ。
【請求項４】
上記出力ロッドがロックオン位置からロックオフ位置まで駆動される過程において、まず、上記メインダンパの上記一対の第２の緩衝突部が上記ケースの第１のストッパに衝突し始め、該メインダンパが徐々に圧縮される過程で上記サブダンパが上記ケースの第２のストッパに衝突し、該サブダンパが充分に圧縮されると、上記メインダンパも充分に圧縮されるように構成されていることを特徴とする請求項３に記載のフューエルフィラーリッドオープナー用アクチュエータ。
【請求項５】
上記出力ロッドのロックオフ位置からロックオン位置への移動は、ドアロックのロックオン作動と連動してロックオン作動させるようにしたことを特徴とする請求項１乃至請求項４のいずれかに記載のフューエルフィラーリッドオープナー用アクチュエータ。
【発明の詳細な説明】
【０００１】
【発明の属する技術分野】
この発明は、車両のフューエルフィラーリッドを解錠するフューエルフィラーリッドオープナーに利用されるアクチュエータに関する。
【０００２】
【従来の技術】
従来のこの種のアクチュエータとしては、例えば、特開２００１−６５２１５号に示されているものが知られている。
【０００３】
この従来のアクチュエータは、アッパーケースとロアケースとで構成されてなるケースと、モータのアーマチュア軸に結合されたウオーム軸と、ケースに回転可能に支持されていてウオーム軸に噛合され、ウオーム軸の回転により回動するセクタと、ケースに支持されていてセクタに連結され、セクタの回動によりフューエルフィラーリッドを解錠するロックオフ位置まで直線的に駆動される出力ロッドと、フューエルフィラーリッドを施錠するロックオン位置に出力ロッドを付勢する戻しばねと、出力ロッドの一部に一体的にして取付けられ、出力ロッドが、戻しばねによりロックオン位置に付勢される際、および、ロックオフ位置に駆動される際に、ケースに衝突する衝撃吸収用ダンパを備えて構成されている。
【０００４】
【発明が解決しようとする課題】
しかしながら、上記従来のフューエルフィラーリッドオープナー用アクチュエータにあっては、上記出力ロッドがロックオフ位置まで作動したときに発生する衝撃力を、出力ロッドに取り付けられた衝撃吸収用ダンパのみで吸収する構造であり、しかも、この種のアクチュエータでは、上記衝撃吸収用ダンパで出力ロッドの作動ストロークを規制している構造であるため、該ダンパーの形状を、より衝撃吸収性能が向上する形状に変更することができず、従って、上記衝撃を上記１つのダンパでは十分に吸収することができず、アクチュエータ故障の一因となっていた。
【０００５】
この発明は、かかる現状に鑑み創案されたものであって、その目的とするところは、この種のアクチュエータにおける衝撃力を吸収するダンパの形状を変更することなく、出力ロッドがロックオフ位置まで駆動したときに発生する衝撃力を２つのダンパで効果的に吸収することで、この種のアクチュエータの耐久性を、簡易な構成で大幅に向上させることができるフューエルフィラーリッドオープナー用アクチュエータを提供しようとするものである。
【０００６】
【課題を解決するための手段】
上記目的を達成するため、請求項１に記載した発明にあっては、ケースと、該ケースに収容され通電により回転するアーマチュア軸をもつモータと、該アーマチュア軸に結合されたウオームギアと、上記ケースに回動自在に支持されていて上記ウオームギアに噛合され、該ウオームギアの回転により回動するセクタギアと、上記ケースに摺動自在に支持されていて該セクタギアの回動によりフューエルフィラーリッドが施錠されるロックオン位置から解錠されるロックオフ位置まで直線的に駆動される出力ロッドと、上記出力ロッドに取り付けられ、該出力ロッドがロックオフ位置に駆動される際に上記ケースに設けた第１のストッパに衝突して圧縮され衝撃力を吸収するメインダンパとを備えたフューエルフィラーリッドオープナー用アクチュエータにおいて、上記出力ロッドの、上記メインダンパの取付位置とは離間した位置にサブダンパを取り付け、上記出力ロッドがロックオフ位置まで駆動される過程において、上記メインダンパが上記第１のストッパに衝突し始めて圧縮されるもののまだ充分に圧縮されていない状態のときに上記サブダンパは、上記ケースに設けた第２のストッパに衝突して圧縮されて上記衝撃力の一部を吸収するように構成されていることを特徴とするものである。
【０００７】
このようにフューエルフィラーリッドオープナー用アクチュエータを構成することで、この種のアクチュエータにおける衝撃力を吸収するダンパの形状を変更することなく、出力ロッドがロックオフ位置まで駆動したときに発生する衝撃力を２つのダンパで効果的に吸収することができるので、この種のアクチュエータの耐久性を大幅に向上させることができる。
【０００８】
そして、上記サブダンパは、例えば、請求項２に示すように、断面形状が略Ｘ字状の弾性材からなるリング体で形成し、衝撃吸収性能が向上するように構成するのが望ましい。
【０００９】
さらに、この発明にあっては、上記請求項１または請求項２に係るメインダンパを、請求項３に記載したように、ゴムを素材とした弾性材で成型して略矩形状となし、該メインダンパを、一方の側面に突設された上記ケースに設けた第３のストッパに衝突可能な半円柱形状をなす一対の第１の緩衝突部と、他方の側面に突設され上記ケースの上記第１のストッパに衝突可能な半円柱形状をなす一対の第２の緩衝突部と、を一体に備えて構成したことを特徴とするものである。
【００１０】
この場合、この発明に係るフューエルフィラーリッドオープナー用アクチュエータにあっては、請求項４に記載したように、上記出力ロッドがロックオン位置からロックオフ位置まで駆動される過程において、まず、上記メインダンパの上記一対の第２の緩衝突部が上記ケースの第１のストッパに衝突し始め、該メインダンパが徐々に圧縮される過程で上記サブダンパが上記ケースの第２のストッパに衝突し、該サブダンパが充分に圧縮されると、上記メインダンパも充分に圧縮されるように構成したことを特徴とするものである。
【００１１】
さらに、この発明にあっては、請求項５に記載したように、上記出力ロッドのロックオフ位置からロックオン位置への移動は、ドアロックのロックオン作動と連動してロックオン作動させるように構成するのが望ましい。
【００１２】
【発明の実施の形態】
以下、添付図面に示す実施の一形態例に基づきこの発明を詳細に説明する。
【００１３】
図１に示すように、この形態例に係わるフューエルフィラーリッドオープナー用のアクチュエータＡは、ロアケース１と、該ロアケース１に収容され通電により回転するアーマチュア軸２をもつモータ３と、該アーマチュア軸２に結合されたウオームギア４と、該ウオームギア４に噛合され、該ウオームギア４の回転により回動するセクタギア５と、該セクタギア５の回動によりフューエルフィラーリッド（図示せず）が解錠されるロックオフ位置まで直線的に駆動される出力ロッド６と、該出力ロッド６に取り付けられ、該出力ロッド６がロックオフ位置に駆動される際に上記ロアケース１に設けた第１のストッパ７に衝突して圧縮される衝撃力を吸収するメインダンパ９と、上記出力ロッド６のメインダンパ取付位置とは離間した反対側の端部に取り付けられ、上記メインダンパ９が充分に圧縮される前、即ち、上記メインダンパ９が上記第１のストッパ７に衝突し始めて圧縮されるもののまだ充分に圧縮されていない状態のときに、上記ロアケース１に設けた第２のストッパ１１に衝突して圧縮され、上記衝撃力の一部を吸収するサブダンパ１０と、から構成されている。そして、上記ロアケース１の開口端を覆うアッパーケース（図示せず）と該ロアケース１とでケースを構成する。
【００１４】
ロアケース１は、一方側が開放された略矩形にされており、該ロアケース１内には、モータ取付部１２、ウオームギア支持部１３、コネクタ部１４、セクタギア支持部１５、車体側固定部１７及び上記第１のストッパ７，７と、上記第２のストッパ１１，１１および第３のストッパ３１，３１がそれぞれ形成されている。
【００１５】
モータ取付部１２には、モータ３が収められている。モータ３は、モータヨーク１８と、モータヨーク１８に結合されたエンドカバー１９とに図示しないアーマチュアが収容されており、このアーマチュアに備えられたアーマチュア軸２がエンドカバー１９から突出して配置されている。
【００１６】
モータ３は、第１のブラシ端子２０がコネクタ部１４内に配置された第１のコンタクタ２２に電気的に接続され、第２のブラシ端子２１が同じくコネクタ部１４内に配置された第２のコンタクタ２３に電気的に接続されている。
【００１７】
モータ３は、第１のブラシ端子２０から第２のブラシ端子２１に向けて通電されることによってアーマチュア軸２が正回転する。
【００１８】
ウオームギア支持部１３には、ウオームギア４の先端軸部４ａが回転可能に支持されており、このウオームギア４は、基端部がモータ３のアーマチュア軸２に相対回転不能に結合されており、アーマチュア軸２とともに回転する。尚、上記ウオームギア４は、セクタギア５の歯部２５と噛合している。
【００１９】
コネクタ部１４内には、上記したように第１及び第２のコンタクタ２２、２３が配置されている。コネクタ部１４は、図示しない制御回路に備えられた相手側コネクタに装着されることによって、第１及び第２のコンタクタ２２、２３が制御回路に電気的に接続される。
【００２０】
セクタギア支持部１５は、丸棒状の軸形をなし、ロアケース１の底板２４より突出して形成され、このセクタギア支持部１５にセクタギア５が回動可能に支持されている。
【００２１】
車体側固定部１７は、略円筒形に形成されており、上記ロアケース１の一端部から外側に向け、出力ロッド６の軸方向に突出形成されている。そして、この車体側固定部１７には、出力ロッド６の第１軸部６Ａが挿通されており、該車体側固定部１７は図示しないフューエルフィラーリッドのインナパネルに形成された取付孔に挿通されて、図示しない締結手段により該インナパネルに締め付けられて固定されるように構成されている。
【００２２】
尚、上記セクタギア５には、歯部２５をもつ扇形セクタギア本体２６の中央部にセクタギア支持部１５が挿入される孔２７が形成されているとともに、この孔２７を中心として上記歯部２５の反対側に、板状に突出したレバー２８が形成されている。そして、レバー２８上に、丸棒形にされたセクタギア出力軸２９が突出形成されている。
【００２３】
このように構成されてなるセクタギア５は、歯部２５がウオームギア４と噛合しているため、ウオームギア４が、一方向に回転されると、該セクタギア５のセクタギア出力軸２９は、ロアケース１のセクタギア支持部１５を回動中心として図１実線位置から反時計方向に回動する。このセクタギア出力軸２９は、出力ロッド６に形成されたセクタギア出力軸挿入孔３０に挿入され連結されている。
【００２４】
ロアケース１の一端部（図１における右側端部）には、出力ロッド６の図１右方向への移動を規制する第３のストッパ３１が形成されており、該第３のストッパ３１は、その上端縁からコ字状に切除して形成されており、この第３のストッパ３１には、メインダンパ９に形成された第１の緩衝突部９Ａ，９Ａが衝突する。
【００２５】
また、上記第１のストッパ７，７は、ロアケース１の中央部に配置された板をその上端縁からコ字状に切除して形成されており、該第１のストッパ７，７には、上記メインダンパ９に形成された第２の緩衝突部９Ｂ，９Ｂが衝突する。
【００２６】
ロアケース１の他端部（図１における左側端部）には、出力ロッド６の図１左方向への移動を規制する第２のストッパ１１が形成されており、該第２のストッパ１１は、その上端縁からコ字状に切除して形成されており、この第２のストッパ１１には、サブダンパ１０がサブストッパ用係止片８を介して衝突する。また、ロアケース１の他端部に開設された出力ロッド用開口１６には、出力ロッド６の第３軸部６Ｃが挿通されている。上記サブストッパ用係止片８は、上記第３軸部６Ｃに遊嵌されており、例えばワッシャーにより形成される。
【００２７】
このサブダンパ１０は、図２に示すように、断面形状が略Ｘ字状のリング体で形成されており、例えば軟質合成樹脂或はゴム材からなる弾性材から成型され、衝撃緩衝性能が向上するように形成されている。サブダンパ１０は、上記出力ロッド６に取り付けられ、該出力ロッド６から膨出形成された座部６Ｆに当接されるように構成されている。尚、上記第２のストッパ１１近傍のロアケース１の底板２４には、上記サブストッパ用係止片８の図１右方向への移動を規制する移動規制用突片３２，３２が突出形成されている。
【００２８】
このように構成されたサブダンパ１０の出力ロッド６への取付位置は、上記出力ロッド６が上記ロックオン位置からロックオフ位置まで駆動される過程において、上記メインダンパ９の第２の緩衝突部９Ｂ，９Ｂが、図３（Ａ）に示すように、上記第１のストッパ７，７に衝突し始めたときには、まだサブダンパ１０は第２のストッパ１１には衝突せず、上記メインダンパ９が、図３（Ｂ）に示すように、上記第１のストッパ７，７に衝突して圧縮されているもののまだ充分には圧縮されない状態のときに、上記サブダンパ１０がサブストッパ用係止片８を介して第２のストッパ１１，１１に衝突して衝撃力の一部を吸収し、図３（Ｃ）に示すように、該サブダンパ１０が充分に圧縮されると、上記メインダンパ９も充分に圧縮されて上記衝撃力を吸収するように取り付けられている。
【００２９】
以上説明したように、上記出力ロッド６は、ロアケース１の第３のストッパ３１から第２のストッパ１１までの長さ寸法よりも大きい長さ寸法をもっており、この出力ロッド６には、一端部から他端部に向け、図１と図４に示すように、第１軸部６Ａ、ダンパ取付部６Ｄ、第２軸部６Ｂ、セクタギア連結部６Ｅ、第３軸部６Ｃがそれぞれ形成されている。
【００３０】
第１軸部６Ａは、図４に示すように、丸棒形にされており、その先端部に傾斜面６Ｇが形成されている。また、この第１軸部６Ａには、フューエルフィラーリッド（図示せず）に備えられた穴に係止される穴係止部６Ｈが形成されている。この第１軸部６Ａは、ロアケース１の第１のストッパ７，７内の軸方向に移動可能に収められる。
【００３１】
また、上記ダンパ取付部６Ｄは、上記第１軸部６Ａに連結されており、このダンパ取付部６Ｄには、断面がＴ字形状にされた一対のダンパ取付突起が備えられており、該一対のダンパ取付突起に上記メインダンパ９が取付けられている。
【００３２】
メインダンパ９は、ゴムを素材とした弾性材から成型され、略矩形をなし、上記メインダンパ９の一方の側面には、上記第３のストッパ３１，３１に衝突可能な半円柱形の第１の緩衝突部９Ａ，９Ａが一体に突設され、また、他方の側面には、上記第１のストッパ７，７に衝突可能な半円柱形の第２の緩衝突部９Ｂ，９Ｂが一体に突設されて形成されている。
【００３３】
一方、上記第２軸部６Ｂは、角棒形にされてダンパ取付部６Ｄから連続形成されている。この第２軸部６Ｂは、ロアケース１の第１のストッパ７，７内の軸方向に移動可能に収められる。
【００３４】
また、上記セクタギア連結部６Ｅは、第２軸部６Ｂに連続して形成されており、その中央部にセクタギア出力軸挿入孔３０が形成されている。
【００３５】
このセクタギア出力軸挿入孔３０は、出力ロッド６の長さ方向と直交する幅方向の寸法が長くなるように開設されている。
【００３６】
セクタギア出力軸挿入孔３０の幅寸法は、セクタギア５が回動する際のセクタギア出力軸２９の移動量に対応した大きさが選ばれている。このように構成することで、出力ロッド６がロックオン位置にあるときに、フューエルフィラーリッドが手動で閉じられるとき、フューエルフィラーリッドの穴が出力ロッド６の上記傾斜面６Ｇに衝突することによって、フューエルフィラーリッドから与えられた外力により出力ロッド６がロックオン位置からロックオフ位置まで強制的に動かされるが、そのときに、図１実線位置にあるセクタギア５のセクタギア出力軸２９を押圧しないようにしてセクタギア５を回さずに、出力ロッド６のみが単独でロックオフ位置へと移動する空振り動作を行えるようになる。
【００３７】
また、第３軸部６Ｃは、丸棒形に形成されており、上記出力ロッド用開口１６の軸方向に移動可能に収納される。尚、上記第３軸部６Ｃの端部には、緊急解錠用のフック（図示せず）が形成されている。このフックは、バッテリ上がり等により、万が一に、モータ３への通電ができなくなった場合に、トランク内から手で引っ張ることにより、出力ロッド６をロックオン位置からロックオフ位置に動かすのに用いられる。
【００３８】
出力ロッド６は、モータ３への通電時にはフューエルフィラーリッドのロックオン位置からロックオフ位置へと移動するように構成されている。この出力ロッド６の移動ストローク量は、上記半円柱形の第１の緩衝突部９Ａ，９Ａが第３のストッパ３１，３１に当接している状態から、上記半円柱形の第２の緩衝突部９Ｂ，９Ｂが第１のストッパ７，７に衝突して充分に圧縮されるまでの直線距離である。
【００３９】
出力ロッド６は、モータ３への通電が行われ、セクタギア５が図１実線で示される位置から、図１反時計方向に回動されると、セクタギア５のセクタギア出力軸２９がセクタギア出力軸挿入孔３０の左内側壁に係合して、該出力ロッド６は図１中左方向へ押圧される。これにより、出力ロッド６は、ロックオフ位置（解錠位置）まで直線移動する。そして、出力ロッド６がロックオフ位置まで移動することによって、第１軸部６Ａの穴係止部６Ｈがフューエルフィラーリッドの穴から外れるので、この状態でフューエルフィラーリッドを開方向へ引き出すことにより給油口（図示せず）が露出する。
【００４０】
このとき、メインダンパ９は、第１の緩衝突部９Ａ，９Ａが第３のストッパ３１，３１から離れ、第２の緩衝突部９Ｂ，９Ｂが第１のストッパ７，７に衝突し、メインダンパ９が徐々に圧縮する過程で、上記サブダンパ１０がサブストッパ用係止片８を介して第２のストッパ１１，１１に衝突して衝撃力の一部を吸収し、該サブダンパ１０が充分に圧縮されると、上記メインダンパ９も充分に圧縮されて上記衝撃力を完全に吸収する。
【００４１】
また、上記出力ロッド６のロックオフ位置からロックオン位置への移動は、この形態例では、ドアロックのロックオン作動と連動してロックオン作動するように構成されており、モータ３を前記ロックオフ作動とは逆作動させること、即ち、モータ３の第２のブラシ端子２１から第１のブラシ端子２０に向けて通電することにより、アーマチュア軸２を逆回転することによりなされる。
【００４２】
【発明の効果】
以上説明してきたように、この発明に係わるフューエルフィラーリッドオープナー用アクチュエータによれば、衝撃力を吸収するメインダンパの形状を変更することなく、出力ロッドがロックオフ位置まで駆動したときに発生する衝撃力をメインダンパとサブダンパの２つのダンパで効果的に吸収することができ、この種のアクチュエータの耐久性を、簡易な構成で大幅に向上させることができる、という優れた効果を奏する。
【図面の簡単な説明】
【図１】この発明の実施の一形態例に係るフューエルフィラーリッドオープナー用アクチュエータの構成を示す一部断面平面図である。
【図２】同アクチュエータのサブダンパの断面図である。
【図３】（Ａ）乃至（Ｃ）は、同アクチュエータのメインダンパとサブダンパの衝撃力吸収過程を順に示す説明図である。
【図４】同アクチュエータの出力ロッドの構成を示す斜視図である。
【符号の説明】
Ａ  フューエルフィラーリッドオープナー用アクチュエータ
１  ロアケース（ケース）
２  アーマチュア軸
３  モータ
４  ウオームギア
５  セクタギア
６  出力ロッド
７  第１のストッパ
８  サブストッパ用係止片
９  メインダンパ
９Ａ  第１の緩衝突部
９Ｂ  第２の緩衝突部
１０  サブダンパ
１１  第２のストッパ
３１  第３のストッパ
【図１】
0004025976.tif 000002
【図２】
0004025976.tif 000003
【図３】
0004025976.tif 000004
【図４】
0004025976.tif 000005